(57)【特許請求の範囲】
【請求項１】
予め定められたＷｅｂページの投稿情報を取得するデータ取得部と、前記データ取得部により取得された投稿情報をユーザ端末に配信するタイムラインページ生成部と、を備えるポータルタイムライン生成装置であって、
前記データ取得部は、
所定のタイミングで前記Ｗｅｂページにアクセスし、当該Ｗｅｂページのデータを取得するＷｅｂページ取得手段と、
前記Ｗｅｂページ取得手段が取得した前記データから当該Ｗｅｂページにおいて新たに投稿された投稿情報を取得する投稿情報取得手段と、
前記投稿情報取得手段が取得した前記投稿情報毎に、当該投稿情報のカテゴリ及び当該カテゴリ毎に定められた送信間隔を分析する投稿情報分析手段と、
前記投稿情報取得手段が取得した前記投稿情報を前記タイムラインページ生成部に送信するとともに、当該投稿情報を前記送信間隔で再送信する投稿情報送信手段と、含み、
前記タイムラインページ生成部は、前記投稿情報を受信することに応じて、前記投稿情報を表示するタイムラインページを、ユーザによる指示に関わりなく自動的に生成する、
ポータルタイムライン生成装置。
【請求項２】
予め設定された前記Ｗｅｂページは、ポータルサイトのトップページであり、前記投稿情報は、前記トップページから遷移可能な詳細ページへの目次情報である、請求項１に記載のポータルタイムライン生成装置。
【請求項３】
投稿情報分析手段は、前記投稿情報取得手段が取得した前記投稿情報毎に、当該投稿情報のカテゴリ毎に定められた予定更新間隔を分析し、
前記Ｗｅｂページ取得手段は、前記予定更新間隔に基づいて、前記Ｗｅｂページにアクセスする、
請求項１又は２に記載のポータルタイムライン生成装置。
【請求項４】
前記投稿情報分析手段は、投稿されてからの経過時間が長い投稿情報の前記送信間隔を長く更新する、
請求項１から３のいずれかに記載のポータルタイムライン生成装置。
【請求項５】
前記データ取得部は、
ユーザ端末からの入力に基づいて当該ユーザの個人用ページにアクセスするためのログイン情報を生成するログイン情報生成手段を更に備え、
前記Ｗｅｂページ取得手段は、前記個人用ページにアクセスし、当該個人用ページのデータを取得する、
請求項１から４のいずれかに記載のポータルタイムライン生成装置。
【請求項６】
予め設定されたＷｅｂページの投稿情報を表示するタイムラインページを生成する方法であって、コンピュータが実行する、
所定のタイミングで前記Ｗｅｂページにアクセスし、当該Ｗｅｂページのデータを取得するステップと、
取得した前記データから当該Ｗｅｂページにおいて新たに投稿された投稿情報を取得するステップと、
取得した前記投稿情報毎に、当該投稿情報のカテゴリ及び当該カテゴリ毎に定められた送信間隔を分析するステップと、
取得した前記投稿情報を送信するとともに、当該投稿情報を前記送信間隔で再送信するステップと、
前記投稿情報を受信することに応じて、前記投稿情報を表示するタイムラインページを、ユーザによる指示に関わりなく自動的に生成するステップと、
を含む方法。  
【発明の詳細な説明】
【技術分野】
【０００１】
本発明は、Ｗｅｂページの更新情報を自動的に通知するタイムラインページを生成するポータルタイムライン生成装置及び方法に関する。
【背景技術】
【０００２】
ネットワーク上に存在するＷｅｂページは逐次更新され、ネットワーク上にはその都度新しい情報が投稿される。Ｗｅｂページの更新頻度は、Ｗｅｂページにより様々であるが、ポータルサイトのトップページのような様々なＷｅｂサービスを提供するＷｅｂページでは、１日に百回を超える更新が行われる場合もある。
【０００３】
新たに投稿された情報をユーザに提供する試みは、多数なされており、例えば、特許文献１には、更新情報を強調表示することで、新たに投稿された情報をユーザに分かり易く提供する情報配信システムが開示されている（図１１、図１２）。
また、近年では、ユーザが更新情報を把握するためのＲＳＳ（ＲＤＦ−Ｓｉｔｅ−Ｓｕｍｍａｒｙ、Ｒｉｃｈ−Ｓｉｔｅ−Ｓｕｍｍａｒｙ、Ｒｅａｌｌｙ−Ｓｉｍｐｌｅ−Ｓｙｎｄｉｃａｔｉ）といった仕組みが開発され、更新情報をまとめたＷｅｂページを生成するＲＳＳリーダーといったソフトウェアも知られている。
【先行技術文献】
【特許文献】
【０００４】
【特許文献１】特開２００８−７１１１６号公報
【発明の概要】
【発明が解決しようとする課題】
【０００５】
ところで、上記のような従来の方法では、更新情報を強調するＷｅｂページや更新情報をまとめたＷｅｂページに対してユーザがアクセスしたタイミングでのみ、更新情報が通知されるだけであった。このような従来の方法では、ポータルサイトのトップページのように、非常に高頻度で更新されるＷｅｂページの更新情報を確認するためには、リロードなどの操作をユーザが行わなければならず、利便性の向上を図る更なる工夫が求められていた。
【０００６】
本発明は、このような問題に鑑みてなされたものであり、高頻度で更新されるＷｅｂページの更新情報をユーザの指示なく自動的に通知可能なポータルタイムライン生成装置及び方法を提供することを目的とする。
【課題を解決するための手段】
【０００７】
（１）  予め定められたＷｅｂページの投稿情報を取得するデータ取得部と、前記データ取得部により取得された投稿情報をユーザ端末に配信するタイムラインページ生成部と、を備えるポータルタイムライン生成装置であって、前記データ取得部は、所定のタイミングで前記Ｗｅｂページにアクセスし、当該Ｗｅｂページのデータを取得するＷｅｂページ取得手段と、前記Ｗｅｂページ取得手段が取得した前記データから当該Ｗｅｂページにおいて新たに投稿された投稿情報を取得する投稿情報取得手段と、前記投稿情報取得手段が取得した前記投稿情報毎に、当該投稿情報のカテゴリ及び当該カテゴリ毎に定められた送信間隔を分析する投稿情報分析手段と、前記投稿情報取得手段が取得した前記投稿情報を前記タイムラインページ生成部に送信するとともに、当該投稿情報を前記送信間隔で再送信する投稿情報送信手段と、含み、前記タイムラインページ生成部は、前記投稿情報を受信することに応じて、前記投稿情報を表示するタイムラインページを、ユーザによる指示に関わりなく自動的に生成する、ポータルタイムライン生成装置。
【０００８】
（１）のポータルタイムライン生成装置によれば、Ｗｅｂページ取得手段が所定のタイミングでＷｅｂページのデータを取得すると、投稿情報取得手段は、当該Ｗｅｂページにおいて新たに投稿された投稿情報を取得する。そして、投稿情報送信手段が、新たに投稿された投稿情報をタイムラインページ生成部に送信すると、タイムラインページ生成部は、投稿情報を表示するタイムラインページを、ユーザによる指示に関わりなく自動的に生成する。これにより、生成されたタイムラインページにアクセスしているユーザには、予め定められたＷｅｂページの更新情報が自動的に通知される。その結果、高頻度で更新されるＷｅｂページの更新情報をユーザの負担なく提供することができる。
このとき、投稿情報分析手段は、投稿情報のカテゴリから送信間隔を分析し、投稿情報送信手段は、この送信間隔でタイムラインページ生成部に投稿情報を再送信する。これにより、ユーザ端末には、投稿情報が複数回表示されることになり、自動的に更新されることによる投稿情報の見逃しを防止することができる。
【０００９】
（２）  予め設定された前記Ｗｅｂページは、ポータルサイトのトップページであり、前記投稿情報は、前記トップページから遷移可能な詳細ページへの目次情報である、（１）に記載のポータルタイムライン生成装置。
【００１０】
（２）のポータルタイムライン生成装置によれば、高頻度で更新されるポータルサイトのトップページの目次情報をユーザに対して適切に提供することができる。
【００１１】
（３）  投稿情報分析手段は、前記投稿情報取得手段が取得した前記投稿情報毎に、当該投稿情報のカテゴリ毎に定められた予定更新間隔を分析し、前記Ｗｅｂページ取得手段は、前記予定更新間隔に基づいて、前記Ｗｅｂページにアクセスする、（１）又は（２）に記載のポータルタイムライン生成装置。
【００１２】
（３）のポータルタイムライン生成装置によれば、投稿情報のカテゴリ毎に定められた予定更新間隔でＷｅｂページにアクセスするため、Ｗｅｂページに対する不要なアクセスを防止でき、通信負荷を削減することができる。
【００１３】
（４）  前記投稿情報分析手段は、投稿されてからの経過時間が長い投稿情報の前記送信間隔を長く更新する、（１）から（３）のいずれかに記載のポータルタイムライン生成装置。
【００１４】
（４）のポータルタイムライン生成装置によれば、投稿されてから一定の時間が経過した投稿情報は、ユーザ端末に繰り返し提供される回数が減少する。これにより、ユーザが興味のある新たな投稿情報から優先してユーザ端末に提供することができ、陳腐化した投稿情報を繰り返し提供することを防止できる。
【００１５】
（５）  前記データ取得部は、ユーザ端末からの入力に基づいて当該ユーザの個人用ページにアクセスするためのログイン情報を生成するログイン情報生成手段を更に備え、前記Ｗｅｂページ取得手段は、前記個人用ページにアクセスし、当該個人用ページのデータを取得する、（１）から（４）のいずれかに記載のポータルタイムライン生成装置。
【００１６】
（５）のポータルタイムライン生成装置によれば、ユーザ固有の個人用ページ（例えば、会員登録したポータルサイトのトップページ）の投稿情報を表示するタイムラインページを生成することができる。
【００１７】
（６）  予め設定されたＷｅｂページの投稿情報を表示するタイムラインページを生成する方法であって、コンピュータが実行する、所定のタイミングで前記Ｗｅｂページにアクセスし、当該Ｗｅｂページのデータを取得するステップと、取得した前記データから当該Ｗｅｂページにおいて新たに投稿された投稿情報を取得するステップと、取得した前記投稿情報毎に、当該投稿情報のカテゴリ及び当該カテゴリ毎に定められた送信間隔を分析するステップと、取得した前記投稿情報を送信するとともに、当該投稿情報を前記送信間隔で再送信するステップと、前記投稿情報を受信することに応じて、前記投稿情報を表示するタイムラインページを、ユーザによる指示に関わりなく自動的に生成するステップと、を含む方法。
【００１８】
（６）の方法によれば、（１）のポータルタイムライン生成装置と同様の効果を奏する。
【発明の効果】
【００１９】
本発明によれば、高頻度で更新されるＷｅｂページの更新情報をユーザの負担なく提供することができる。
【図面の簡単な説明】
【００２０】
【図１】第１実施形態のポータルタイムライン生成装置の機能構成を示すブロック図である。
【図２】上記実施形態のページログデータベースを示す図である。
【図３】上記実施形態の投稿情報データベースを示す図である。
【図４】上記実施形態のポータルタイムライン生成装置によるデータ取得処理を示すフローチャートである。
【図５】上記実施形態のポータルタイムライン生成装置によるタイムラインページ生成処理を示すフローチャートである。
【図６】上記実施形態のポータルタイムライン生成装置により生成されたポータルタイムラインページを示す図である。
【図７】第２実施形態のポータルタイムライン生成装置の機能構成を示すブロック図である。
【図８】上記実施形態の投稿情報データベースを示す図である。
【図９】上記実施形態のポータルタイムライン生成装置によるデータ取得処理を示すフローチャートである。
【図１０】上記実施形態のポータルタイムライン生成装置により生成されたポータルタイムラインページを示す図である。
【図１１】ポータルサイトのトップページの一例を示す図である。
【発明を実施するための形態】
【００２１】
本発明のポータルタイムライン生成装置１は、予め定められたＷｅｂページの投稿情報をタイムライン形式で表示するＷｅｂページ（ポータルタイムラインページ（図６参照））を生成する。ここで、本実施形態におけるタイムライン形式のＷｅｂページとは、あるＷｅｂページ（予め定められたＷｅｂページ）の投稿情報を時間軸に沿って自動的に通知するＷｅｂページをいう。具体的には、図６で後述するが、あるＷｅｂページで新規に情報が投稿されると、当該投稿情報を自動的に（すなわち、ユーザの指示によらずに）通知するＷｅｂページをいう。なお、本実施形態では、あるＷｅｂページ（予め定められたＷｅｂページ）として、更新頻度の高いポータルサイトのトップページ（図１１参照）を例にとり、また、ポータルタイムラインページで自動的に通知する投稿情報として、当該トップページに表示され、詳細ページへのリンクが設定された目次情報（図１１の目次情報１０１〜１０４、個人情報１０７，１０８など）を例にとって説明する。
以下、本発明の実施形態について、図面を参照して説明する。
【００２２】
［第１実施形態］
初めに、図１〜図６を参照して、第１実施形態のポータルタイムライン生成装置１について説明する。
【００２３】
［ポータルタイムライン生成装置１の機能構成］
図１を参照して、本発明のポータルタイムライン生成装置１の機能構成について説明する。
【００２４】
本発明のポータルタイムライン生成装置１は、予め定められたＷｅｂページ（ポータルサイトのトップページ）を管理するＷｅｂサーバ２及びポータルタイムラインページを閲覧するユーザ端末３と通信可能に接続され、データ取得部１１と、タイムラインページ生成部１２と、を含んで構成される。
【００２５】
［データ取得部１１］
データ取得部１１は、Ｗｅｂサーバ２で管理するポータルサイトのトップページから投稿情報を取得するため、Ｗｅｂページ取得手段１１１と、投稿情報取得手段１１２と、投稿情報分析手段１１３と、投稿情報送信手段１１４と、ページログデータベース１１５と、投稿情報データベース１１６と、を含む。
【００２６】
Ｗｅｂページ取得手段１１１は、Ｗｅｂサーバ２が管理するポータルサイトのトップページに所定のタイミングでアクセスし、当該トップページのデータ（ＨＴＭＬデータ）を取得する。なお、Ｗｅｂページ取得手段１１１がＷｅｂページにアクセスするタイミングについては、任意に設定することができるが、後述するようにＷｅｂページの予定更新間隔に基づいてアクセスタイミングを決定することとしてもよい。
Ｗｅｂページ取得手段１１１は、Ｗｅｂページのデータを取得すると、取得した時間と対応付けて当該データをページログデータベース１１５に記憶する。
【００２７】
ここで、ページログデータベース１１５について、図３を参照して説明する。ページログデータベース１１５は、Ｗｅｂページ取得手段１１１が取得したＷｅｂページのデータ（ＨＴＭＬデータ）を当該データを取得した時間に対応付けて記憶する。
【００２８】
投稿情報取得手段１１２は、Ｗｅｂページ取得手段１１１が取得したデータから当該Ｗｅｂページにおいて新たに投稿された投稿情報を取得する。すなわち、投稿情報取得手段１１２は、ページログデータベース１１５に記憶されたＷｅｂページのデータを参照することで、より詳細には、時間ごとのデータの差分を検出することで、Ｗｅｂページにおいて新たに投稿された投稿情報を取得する。
投稿情報取得手段１１２は、Ｗｅｂページにおいて新たに投稿された投稿情報を取得すると、取得した時間などと対応付けて当該投稿情報を投稿情報データベース１１６に記憶する。
【００２９】
投稿情報分析手段１１３は、投稿情報取得手段１１２が取得した投稿情報毎に、当該投稿情報のカテゴリを分析する。
ここで、図１１のポータルトップページ１００を参照して、ポータルトップページ１００には、多数の目次情報が表示される。図１１では、ポータルトップページ１００には、地震速報を示す目次情報１０１と、スポーツニュースを示す目次情報１０２と、経済ニュースを示す目次情報１０３と、天気予報を示す目次情報１０４と、が表示されている。一例として、投稿情報分析手段１１３は、投稿情報のカテゴリを、ポータルトップページ１００のタグ情報を解析し、これら目次情報１０１〜１０４に付されたＩＤ情報から分析する。例えば、地震速報を示す目次情報１０１については、タグ情報において付されたＩＤ情報「緊急速報」からカテゴリを分析し、スポーツニュースを示す目次情報１０２については、タグ情報において付されたＩＤ情報「ニュース（スポーツ）」からカテゴリを分析する。
【００３０】
ここで、本発明のポータルタイムライン生成装置１が生成するポータルタイムラインページでは、新たに投稿された投稿情報が自動的に通知されるため、Ｗｅｂページの更新頻度によっては、ユーザが把握する間もなくポータルタイムラインページで次々と新たな投稿情報が通知されることがある。そこで、本発明のポータルタイムライン生成装置１では、投稿情報を所定の間隔で再通知することとしている。
投稿情報分析手段１１３は、このような再通知の間隔（送信間隔）を、投稿情報毎に分析する。具体的には、再通知の間隔（送信間隔）をカテゴリ毎に予め定めておき、投稿情報分析手段１１３は、分析したカテゴリ毎に予め定められた送信間隔を特定する。
カテゴリ毎の送信間隔の設定は、任意に行うことができ、例えば、地震速報のような緊急性の高い情報については、送信間隔を短く定めておき、天気予報のように更新される頻度が低く緊急性も低い情報については、送信間隔を長く定めておくことができる。
【００３１】
ところで、過去に投稿された投稿情報を何時までも再通知していたのでは、ポータルタイムラインページにおいて通知される投稿情報が多くなってしまうため、投稿されてから時間が経過した投稿情報については、再通知の間隔を長くすることが好ましい。
そこで、投稿情報分析手段１１３は、投稿されてからの経過時間（陳腐度）を分析するとともに、当該経過時間が長い投稿情報の送信間隔を長く更新する。
このとき、長く更新する送信間隔については、任意に設定することができ、例えば、カテゴリ毎に送信間隔の長さの変化（送信間隔の落ち込み）を異ならせることとしてもよい。ところで、天気予報のような投稿情報については、時間単位での情報の必要性の落ち込みは小さい（内容によっては、その日中は必要とされる）一方で、速報情報のような投稿情報については、時間単位での情報の必要性の落ち込みが大きい（一例としては、野球速報「１回裏の速報」については、「４回裏の速報」が投稿された時点で必要性がなくなる）。そこで、投稿情報分析手段１１３は、カテゴリ毎に、より詳細には、投稿情報の鮮度（予定更新間隔）毎に送信間隔の落ち込みを異ならせることとしてもよい。
【００３２】
また、投稿情報分析手段１１３は、投稿情報取得手段１１２が取得した投稿情報毎に、このような投稿情報の鮮度（予定更新間隔）を分析する。具体的には、投稿情報のカテゴリ毎に鮮度（予定更新間隔）を予め定めておき、投稿情報分析手段１１３は、分析したカテゴリから鮮度（予定更新間隔）を分析する。
例えば、天気予報のような投稿情報については、頻繁に更新する必要がないため、鮮度（予定更新間隔）を長く設定することとしてもよく、また、地震速報のように、緊急性が高く、また、時勢に合っている（タイムリーな）情報については、鮮度（予定更新間隔）を短く設定することとしてもよい。
【００３３】
投稿情報分析手段１１３が分析したこれらの情報は、投稿情報データベース１１６に適宜記憶される。
ここで、図３を参照して、投稿情報データベース１１６について説明する。投稿情報データベース１１６は、投稿情報取得手段１１２が取得した投稿情報に対応付けて、当該投稿情報のカテゴリ、鮮度（予定更新間隔）、陳腐度（経過時間）、送信間隔、及びリンク先ＵＲＬなどの各種情報を記憶する。
このとき、投稿情報データベース１１６に記憶された各種情報は、投稿情報分析手段１１３の分析により適宜更新される。一例として、カテゴリ「ニュース（スポーツ）」の投稿情報「プロ野球の開催延期」と、カテゴリ「ニュース（経済）」の投稿情報「○○企業の節電対策」とは、鮮度（予定更新間隔）は同じであるが、送信間隔はカテゴリ「ニュース（スポーツ）」の投稿情報の方が短く設定されている。これは、陳腐度（経過時間）に基づく送信間隔の更新によりカテゴリ「ニュース（経済）」の投稿情報の送信間隔が長く更新されたためである。
【００３４】
ここで、図３の投稿情報データベース１１６を参照して、Ｗｅｂページ取得手段１１１がＷｅｂページにアクセスする所定のタイミングについて説明する。
図３に示すように、本実施形態では、取得した投稿情報毎にその鮮度（予定更新間隔）を記憶する。そこで、Ｗｅｂページ取得手段１１１は、この鮮度（予定更新間隔）に基づいて、Ｗｅｂページにアクセスすることとしてもよい。具体的には、投稿情報データベース１１６に記憶された鮮度（予定更新間隔）のうち最も短いものの間隔でＷｅｂページにアクセスすることとしてもよい。
図３では、カテゴリ「緊急速報」の鮮度（予定更新間隔）が最も短いため、Ｗｅｂページ取得手段１１１は、この間隔でＷｅｂページにアクセスし、データを取得する。
【００３５】
また、Ｗｅｂページ取得手段１１１は、Ｗｅｂページの取得に際し、当該Ｗｅｂページ全体を取得するのではなく、Ｗｅｂページのうち投稿情報が記載された部分のみを取得することとしてもよく、この場合には、Ｗｅｂページ取得手段１１１は、投稿情報毎の鮮度（予定更新間隔）で、該当する投稿情報が記載された部分のみのデータを取得する。なお、投稿情報が記載された部分のみのデータの取得については、任意に行うことができ、一例としては、投稿情報又はカテゴリ毎にタグ情報の位置を記憶しておき、当該位置に基づいてデータを取得することができる。
図３では、Ｗｅｂページ取得手段１１１は、カテゴリ「緊急速報」が記載された部分については１分間隔でデータを取得し、カテゴリ「ニュース（スポーツ）」が記載された部分については１０分間隔でデータを取得する。
【００３６】
図１に戻り、投稿情報送信手段１１４は、投稿情報取得手段１１２が新たな投稿情報を取得するたびに当該新たな投稿情報をタイムラインページ生成部１２に送信するとともに、投稿情報データベース１１６に記憶された送信間隔で対応する投稿情報をタイムラインページ生成部１２に再送信する。
【００３７】
［タイムラインページ生成部１２］
タイムラインページ生成部１２は、投稿情報送信手段１１４から投稿情報を受信することに応じて、受信した投稿情報を表示するポータルタイムラインページを生成する。すなわち、タイムラインページ生成部１２は、受信した投稿情報をポータルタイムラインページに新たに追加する。このとき、タイムラインページ生成部１２は、投稿情報を受信するとユーザの指示に関わりなく自動的にポータルタイムラインページを生成する。なお、追加される投稿情報には図３のリンク先ＵＲＬに基づくリンクが設定されており、ユーザが選択することにより、ポータルタイムラインページから詳細ページへの遷移が行われる。
タイムラインページ生成部１２により生成されたポータルタイムラインページは、ユーザ端末３に送信され、ユーザ端末３のユーザに閲覧される。
【００３８】
［ポータルタイムライン生成装置１のハードウェア構成］
以上説明したポータルタイムライン生成装置１のハードウェアは、一般的なコンピュータによって構成することができる。一般的なコンピュータは、例えば、制御部として、中央処理装置（ＣＰＵ）を備える他、記憶部として、メモリ（ＲＡＭ、ＲＯＭ）、ハードディスク（ＨＤＤ）及び光ディスク（ＣＤ、ＤＶＤなど）を、ネットワーク通信装置として、各種有線及び無線ＬＡＮ装置を、表示装置として、例えば、液晶ディスプレイ、プラズマディスプレイなどの各種ディスプレイを、入力装置として、例えば、キーボード及びポインティング・デバイス（マウス、トラッキングボールなど）を適宜備え、これらは、バスラインにより接続されている。このような一般的なコンピュータにおいて、ＣＰＵは、ポータルタイムライン生成装置１を統括的に制御し、各種プログラムを適宜読み出して実行することにより、上述したハードウェアと協働し、本発明に係る各種機能を実現している。
なお、ポータルタイムライン生成装置１は、複数のコンピュータにより構成することとしてもよく、データ取得部１１を供えるコンピュータと、タイムラインページ生成部１２を備えるコンピュータと、が通信可能に接続されて構成されることとしてもよい。
【００３９】
［ポータルタイムライン生成装置１の処理］
続いて、本発明のポータルタイムライン生成装置１の処理について図４及び図５を参照して説明する。
【００４０】
［データ取得処理］
初めに、図４を参照して、データ取得処理について説明する。
Ｓ１：Ｗｅｂページ取得手段１１１は、Ｗｅｂページにアクセスし、当該Ｗｅｂページのデータを取得する。このとき、Ｗｅｂページ取得手段１１１は、既に取得済みの投稿情報（カテゴリ）毎に設定された鮮度（予定更新間隔）に基づいてＷｅｂページにアクセスすることとしてもよく、また、Ｗｅｂページ取得手段１１１は、Ｗｅｂページのうち投稿情報（カテゴリ）が記載された部分にのみアクセスすることとしてもよい。
【００４１】
Ｓ２：続いて、投稿情報取得手段１１２は、Ｓ１で取得したＷｅｂページのデータから、更新部分を特定し、新たな投稿情報を取得する。具体的には、投稿情報取得手段１１２は、時間ごとのＷｅｂページのデータの差分を検出することで、Ｗｅｂページにおいて新たに投稿された投稿情報を取得する。
Ｓ３：続いて、投稿情報分析手段１１３は、Ｓ３で取得した新たに投稿された投稿情報を分析し、カテゴリ、鮮度（予定更新間隔）、陳腐度（経過時間）、送信間隔、及びリンク先のＵＲＬなどの各種情報を取得し、投稿情報データベース１１６に記憶する。
【００４２】
Ｓ４：また、投稿情報分析手段１１３は、既に投稿情報データベース１１６に記憶されている投稿情報（既投稿情報）についても分析する。具体的には、投稿情報分析手段１１３は、既投稿情報の陳腐度（経過時間）を分析する。
Ｓ５：続いて、投稿情報分析手段１１３は、Ｓ４で分析した陳腐度（経過時間）に基づいて、当該既投稿情報の送信間隔を更新する。すなわち、投稿情報分析手段１１３は、投稿されてからの経過時間が長い既投稿情報の送信間隔を長く更新する。
【００４３】
［タイムラインページ生成処理］
続いて、図５を参照して、タイムラインページ生成処理について説明する。
Ｓ１１：初めに、投稿情報送信手段１１４は、投稿情報データベース１１６に新たな投稿情報があるか否かを判定する。このとき、新たな投稿情報がある場合には、Ｓ１３の処理に移り、投稿情報データベース１１６新たな投稿情報がない場合には、Ｓ１２の処理に移る。
Ｓ１２：続いて、投稿情報送信手段１１４は、投稿情報データベース１１６に記憶された投稿情報のうち、送信タイミングである投稿情報があるか否かを判定する。このとき、送信タイミングの投稿情報がない場合には、Ｓ１１の処理に移り、送信タイミングの投稿情報がある場合には、Ｓ１３の処理に移る。
【００４４】
Ｓ１３：続いて、投稿情報送信手段１１４は、新たな投稿情報又は送信タイミングの投稿情報をタイムラインページ生成部１２に送信する。
Ｓ１４：タイムラインページ生成部１２は、投稿情報を受信することに応じて、受信した投稿情報を表示するポータルタイムラインページを生成する。すなわち、タイムラインページ生成部１２は、受信した投稿情報をポータルタイムラインページに新たに追加する。その後、Ｓ１１の処理に移り、Ｓ１１〜Ｓ１４の処理を繰り返す。
【００４５】
［ポータルタイムラインページの例］
続いて、図６を参照して、本発明のポータルタイムライン生成装置１により生成されるポータルタイムラインページについて説明する。
図６（１）〜（６）に示すように、ポータルタイムラインページでは、時間の経過とともにポータルサイトのトップページの投稿情報が自動的に追加されていく。これにより、ユーザは、ポータルサイトのトップページの投稿情報を容易に把握することができる。このとき、ポータルタイムラインページに追加される投稿情報には、詳細ページへのリンクが設定されているため、詳細な情報を希望するユーザは、容易に当該情報を取得することができる。
【００４６】
また、ポータルタイムラインページでは、同一の投稿情報が繰り返し表示される。図６（２）、（４）を参照して、時刻ｔ４では、時刻ｔ２で表示された地震速報を示す投稿情報が再度表示されている。これにより、ユーザ端末には、投稿情報が複数回表示されることになり、自動的に更新されることによる投稿情報の見逃しを防止することができる。
【００４７】
［第２実施形態］
続いて、図７〜図１０を参照して、第２実施形態のポータルタイムライン生成装置１Ａについて説明する。Ｗｅｂページの中には、会員登録されたユーザ毎に個別のサービスを提供するものもあり、ポータルサイトにおいてもトップページに会員登録されたユーザ固有の情報を表示するものがある。図１１のポータルトップページ１００では、メール情報を示す個人情報１０７と、スケジュール情報を示す個人情報１０８と、が表示されている。第２実施形態のポータルタイムライン生成装置１Ａは、生成するポータルタイムラインページが、ユーザに関わらず共通のページではなく、ユーザ毎に異なるページである点で、第１実施形態のポータルタイムライン生成装置１と異なる。
以下、第２実施形態のポータルタイムライン生成装置１Ａについて説明する。なお、第１実施形態と同様の構成には同一の符号を付し、説明を省略又は簡略化する。
【００４８】
［ポータルタイムライン生成装置１Ａの機能構成］
図７を参照して、第２実施形態のポータルタイムライン生成装置１Ａの機能構成について説明する。
ポータルタイムライン生成装置１Ａは、データ取得部１１Ａと、タイムラインページ生成部１２と、を含んで構成される。データ取得部１１Ａは、第１実施形態と同様に、Ｗｅｂページ取得手段１１１と、投稿情報取得手段１１２と、投稿情報分析手段１１３と、投稿情報送信手段１１４と、ページログデータベース１１５と、投稿情報データベース１１６と、を含むとともに、更にログイン情報生成手段１１７Ａを含む。
【００４９】
この第２実施形態に特有のログイン情報生成手段１１７Ａは、ユーザ端末３から当該ユーザの会員登録情報（ＩＤ及びパスワード）の入力を受け付け、当該ユーザの会員ページにアクセスするためのログイン情報を生成する。
【００５０】
そして、第２実施形態のＷｅｂページ取得手段１１１は、ログイン情報生成手段１１７Ａが生成したログイン情報に基づいて、ユーザの会員ページにアクセスし、当該会員ページからデータを取得するとともに、取得したデータをページログデータベース１１５に記憶する。その後、投稿情報取得手段１１２や投稿情報分析手段１１３が投稿情報に各種情報を対応付け投稿情報データベース１１６に記憶する。
【００５１】
その結果、第２実施形態のポータルタイムライン生成装置１Ａの投稿情報データベース１１６には、図８に示すようにカテゴリ「メール」や「スケジュール」といった個人情報に対応する投稿情報も記憶されることになる。
【００５２】
このように記憶された個人情報に対応する投稿情報も、投稿情報送信手段１１４により所定のタイミング（新たな投稿情報取得時や送信間隔時）でタイムラインページ生成部１２に送信される結果、第２実施形態のポータルタイムライン生成装置１Ａでは、ユーザ毎に異なるポータルタイムラインページを生成することができる。
【００５３】
［ポータルタイムライン生成装置１Ａの処理］
続いて、第２実施形態のポータルタイムライン生成装置１Ａのデータ取得処理について図９を参照して説明する。なお、図９では、ログイン情報生成手段１１７Ａがユーザ端末３からＩＤ・パスワードを受け付け、当該ユーザの会員ページにアクセスするためのログイン情報を生成する処理（Ｓ１１７）が追加されている。
すなわち、第２実施形態のデータ取得処理では、Ｓ１〜Ｓ５の処理の前に、ログイン情報生成手段１１７Ａがユーザ端末３からＩＤ・パスワードを受け付けログイン情報を生成する（Ｓ１１７）。その後、Ｓ１においてＷｅｂページ取得手段１１１がアクセスするＷｅｂページが、ログイン情報に基づくユーザの会員ページである点が第１実施形態のデータ取得処理と異なるものであり、Ｓ２〜Ｓ５の処理は第１実施形態のデータ取得処理と同一である。
【００５４】
［ポータルタイムラインページの例］
続いて、図１０を参照して、第２実施形態のポータルタイムライン生成装置１Ａにより生成されるポータルタイムラインページについて説明する。
図１０（１）に示すように、第２実施形態のポータルタイムライン生成装置１Ａにより生成されるポータルタイムラインページでは、初めにユーザ端末３から当該ユーザの会員ページにアクセスするためのＩＤ・パスワード受付画面を表示する。
【００５５】
このＩＤ・パスワード受付画面においてユーザ端末３からＩＤ及びパスワードの入力を受け付けると、図１０（２）（３）に示すように、ポータルタイムラインページには、当該ユーザの会員ページから取得した投稿情報が自動的に追加されていく。このとき、本実施形態では、図１０（２）に示すように、新着メールについての投稿情報や、スケジュールについての投稿情報も自動的に追加されていく。
【００５６】
これにより、第２実施形態のポータルタイムライン生成装置１Ａでは、ユーザ固有の個人用ページ（例えば、会員登録したポータルサイトのトップページ）の投稿情報を表示するポータルタイムラインページを生成することができる。
【００５７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５８】
１，１Ａ  ポータルタイムライン生成装置
１１，１１Ａ  データ取得部
１１１  Ｗｅｂページ取得手段
１１２  投稿情報取得手段
１１３  投稿情報分析手段
１１４  投稿情報送信手段
１１５  ページログデータベース
１１６  投稿情報データベース
１１７Ａ  ログイン情報生成手段
１２  タイムラインページ生成部
２  Ｗｅｂサーバ
３  ユーザ端末
【図１】
0005138073.tif 000002
【図２】
0005138073.tif 000003
【図３】
0005138073.tif 000004
【図４】
0005138073.tif 000005
【図５】
0005138073.tif 000006
【図６】
0005138073.tif 000007
【図７】
0005138073.tif 000008
【図８】
0005138073.tif 000009
【図９】
0005138073.tif 000010
【図１０】
0005138073.tif 000011
【図１１】
0005138073.tif 000012